【事件の表示】
　特許第３４５２４４５号「漏電遮断器」の請求項１に係る特許に対する特許異議の申立てについて、次のとおり決定する。
【結　論】
　特許第３４５２４４５号の請求項１に係る特許を維持する。
【理　由】
１．本件発明
　本件特許第３４５２４４５号（平成８年７月２３日出願、平成１５年７月１８日設定登録）の請求項１に係る発明（以下「本件発明」という。）は、その特許請求の範囲の請求項１に記載された次のとおりのものである。
「漏電電流を検出するＺＣＴと、該検出された漏電電流を電圧に変換する信号変換器と、該変換された電圧信号を一定の周波数特性に減衰させるローパスフィルタと、漏電を検出する漏電検出部と、ＳＣＲを駆動するＳＣＲ駆動部と、引外し装置と、これらの供給電源から成る漏電遮断器において、
　前記ローパスフィルタの感度電流周波数特性と、前記漏電検出部の感度電流周波数特性とを協調させ、前記漏電検出部の感度電流域である商用周波数から１ＫＨｚまでの周波数範囲においては漏電遮断器の感度電流周波数特性を所定の閾値以下の感度電流周波数特性とし、１ｋＨｚから２ｋＨｚまでの周波数範囲においては急峻に立ち上がる感度電流周波数特性とし、さらに前記周波数を越える周波数範囲では漏電遮断機能が不動作域とし、前記漏電検出部において、前記漏電遮断部に入力信号を入力し上値と下値に判定し、該入力信号レベルが下値の判定レベルを越えた場合正パルスを出力し、次に入力信号レベルが上値の判定レベルを越えた場合正パルスを出力し、さらに入力信号レベルが上値の判定レベルを越えた場合正パルスを出力した場合に漏電電流が検出されたとして前記ＳＣＲ駆動部より駆動信号を出力し前記引外し装置を動作させることを特徴とする漏電遮断器。」
　
２．特許異議の申立ての理由の概要
　異議申立人は、甲第１号証（特開平５−１５０４６号公報）及び甲第２号証（特開平８−１４９６８７号公報）を提出し、本件発明は、これらに記載された発明に基づいて容易に発明をすることができたもので、本件発明に係る特許は特許法第２９条第２項の規定に違反してなされたものであるとの主張をしている。
　
３．甲号証に記載の事項
　甲各号証には、本件各発明に関連する事項として、次のことが記載されている。
３−１．甲第１号証
（１）甲第１号証には、次の事項が記載されている。
　ア．「図６は・・・１は交流電路、２はこの交流電路１に設置された遮断器、３は交流電路１を１次巻線とする地絡検出器例えば零相変流器、４は遮断器２を引き外すように設けられた電磁装置、５は電磁装置４と直列に接続されたスイッチング素子例えばサイリスタである。遮断器２、電磁装置４およびサイリスタ５は遮断手段を構成している。６は零相変流器３に接続され、その出力のレベルを判別するレベル判別器、７はこのレベル判別器６に接続され、その出力時間幅を判別する信号幅判別器、８は信号幅判別器７に接続され、その出力に応じてトリガ信号を発生させるトリガ回路である。信号判別器７とトリガ回路８は信号判別手段を構成する。トリガ回路８の出力側はサイリスタ５のゲート電極に接続され、そのトリガ信号によりサイリスタ５がオンされ電磁装置４を介して遮断器２を引き外し、交流電路１を遮断する。」（段落【０００２】）
　
　イ．「この地絡電流は零相変流器３により検出され、その出力側には図６(b) に示す検出信号が得られる。この検出信号はレベル判別器６に入力され、そのレベルが閾値ＴＨ１を超えると、図７(c) に示すように、零相変流器３の検出信号レベルが閾値ＴＨ１を超えている期間の対応する時間幅のパルス信号が発生される。このパルス信号は信号幅判別器７に入力され、このパルス信号幅が所定の幅ｔ１例えば２ミリ秒以上であれば信号幅判別器７は図７(d) に示すような出力信号を発生し、この出力信号に応答してトリガ回路８は図７(e) に示すトリガ信号を発生する。」（段落【０００３】）
　
　ウ．「上記のような従来の地絡検出装置では、以上説明したとおり負荷側にインバータを挿入して負荷制御を行う回路へ適用した場合に、インバータの周波数変換のため用いられた高周波の影響により地絡が発生しても負荷遮断がなされないことや、インバータと負荷間の相電線が長い場合、浮遊静電容量を流れる高周波を含む不平衡電流により地絡が発生していないのに負荷遮断してしまうといった課題があった。」（段落【０００８】）
　
　エ．「この発明に係る地絡検出装置は、零相変流器に接続された低域フィルターが負荷制御のために挿入されたインバータから発生する高周波成分を阻止し、レベル判別器以降への高周波成分の影響をなくする。」（段落【００１３】）
　
　オ．「図１はこの発明の実施例１を示す地絡検出装置を示すヅロック図、図２〜図３はその動作波形図である。図において、１〜８は上記従来装置において説明したものと同様である。９は零相変流器３とレベル判別器６の間に接続された低域フィルターであり、高周波成分をカットして低周波成分だけをレベル判別器６へ伝える。」（段落【００１５】）
　
（２）以上から、甲第１号証には、次の発明が記載されているものと認められる。
「漏電電流を検出する零相変流器と、該検出された漏電電流を高周波成分をカットして低周波成分だけを伝える低域フィルターと、漏電電電流のレベルと出力時間幅をそれぞれ判別するレベル判別器及び信号幅判別器と、サイリスタを駆動するトリガ回路と、遮断装置とから成る漏電遮断器において、
　漏電電流の入力信号を判定し、該入力信号レベルが判定レベルを越え、かつその出力時間幅が所定幅を超えると、漏電電流が検出されたとして前記トリガ回路により駆動信号を出力し前記遮断器を動作させる漏電遮断器。」
　
３−２．甲第２号証
（１）甲第２号証には、次の事項が記載されている。
　ア．「この発明は、動作を点検するテスト回路を備えた地絡検出装置に関するもので、特に、動作点検用に使用される遠隔テストスイッチと地絡検出装置を結ぶリード線の浮遊コンデンサ容量に起因する地絡検出装置の誤動作を防止しようとするものである。」（段落【０００１】）
　
　イ．「図８において・・・（ｄ）は地絡検出回路３の検出レベルで、地絡検出信号がこのレベルを超えている時間が、地絡検出回路３に設定されている規定の時間Ｔより長いとき、地絡検出回路３に地絡検出信号がカウントされる。このカウントが、例えば、負→正→負の順に３回連続したとき、地絡検出回路３がサイリスタ４に動作信号を出す。」（段落【０００７】）
　
（２）以上から 、甲第２号証には、次の発明が記載されていると認められる。
「地絡検出において、入力信号を上値と下値によって判定し、その判定レベルを越えている時間が設定時間より長いときに、検出信号をカウントし、これが、負、正、負と３回カウントしたときに、サイリスタの駆動回路に動作信号を出すこと。」
　
４．判断
（１）甲第１号証においては、上記のとおりの発明が記載されており、甲第１号証に記載の発明における「零相変流器」、「低域フィルター」、「レベル判別器と信号幅判別器」、「サイリスタ」、「トリガ回路」、「遮断器」は、それぞれ、本件発明における「ＺＣＴ」、「ローパスフィルター」、「漏電検出部」、「ＳＣＲ」、「ＳＣＲ駆動部」、「引外し装置」に相当することから、結局、甲第１号証には、次の発明が記載されているものである。
「漏電電流を検出するＺＣＴと、該検出された漏電電流を高周波成分をカットして低周波成分だけを伝えるローパスフィルターと、漏電電電流のレベルと出力時間幅をそれぞれ判別する漏電検出部と、ＳＣＲを駆動するＳＣＲ駆動部と、引外し装置とから成る漏電遮断器において、
　漏電電流の入力信号を判定し、該入力信号レベルが判定レベルを越え、かつその出力時間幅が所定幅を超えると、漏電電流が検出されたとして前記ＳＣＲ駆動部により駆動信号を出力し前記引外し装置を動作させる漏電遮断器。」
　
（２）また、甲第２号証には、上記のとおりの発明が記載されており、「サイリスタ」は、本件発明の「ＳＣＲ」に相当し、負、正、負の地絡検出信号を３回カウントすることは、本件発明において、漏電電流の入力信号が下値の判定レベルを越えた場合の正パルス、上値の判定レベルを越えた場合の正パルス、下値の判定レベルを越えた場合の正パルスを出力することに相当していることから、結局、甲第２号証には、次の発明が記載されているものである。
「漏電検出部において、漏電電流の入力信号を入力し上値と下値に判定し、該入力信号レベルが下値の判定レベルを越えた場合正パルスを出力し、次に入力信号レベルが上値の判定レベルを越えた場合正パルスを出力し、さらに入力信号レベルが下値の判定レベルを越えた場合正パルスを出力した場合に漏電電流が検出されたとして前記ＳＣＲ駆動部より駆動信号を出力し前記引外し装置を動作させること。」
　
（３）ところで、本件発明は、「（従来の）高速高感度形の感度電流周波数特性の漏電遮断器では、不要な動作をする恐れが大きく、不都合な場合があるという問題点があった。
　また、図８は、ＩＥＣ４７９−２における周波数に対する心室細動電流の大きさの変化を係数として示した線図であり、ＩＥＣ４７９−２に示す人体通過電流による死亡の恐れのある１００Ｈｚ以上、１ｋＨｚ以下の周波数に対する心室細動電流の大きさを係数として示している。
　図８は、横軸に周波数を示し、縦軸に心室細動電流の大きさの係数を示すが、これによると、１ｋＨｚの周波数に対する心室細動電流は、商用周波数の１４倍程度の大きさまで許容されることになる。
　本発明は、かかる従来における問題点を解決するためになされたものであり、現在市場に供給されているインバータのキャリア周波数が概ね１ｋＨｚ〜１６ｋＨｚの範囲であり、１ｋＨｚ以下では、例えば前記ＩＥＣ４７９−２に記載されているような死亡する恐れのある心室細動電流値以下の漏洩電流で動作するような周波数特性を維持しつつも、１ｋＨｚ以上の周波数帯では急峻に立ち上がる感度電流周波数特性と備えさせ、実貭上不感帯とすることにより、実用上、人体保護と、インバータ負荷への適用時における不要動作の防止との両立を図れるような漏電遮断器を提供することをその目的とする。」（本件明細書の段落【０００６】〜【０００８】）との記載のとおり、図８に示されるような心室細動電流との関係において、１ｋＨｚ以下では、死亡する恐れのある心室細動電流値以下の漏洩電流で動作するような周波数特性を維持しつつも、１ｋＨｚ以上の周波数帯では急峻に立ち上がる感度電流周波数特性と備えさせ、実貭上不感帯とすることにより、実用上、人体保護と、インバータ負荷への適用時における不要動作の防止との両立を図ることを目的として、請求項１に記載されたとおりの、「ローパスフィルタの感度電流周波数特性と、漏電検出部の感度電流周波数特性とを協調させ、前記漏電検出部の感度電流域である商用周波数から１ＫＨｚまでの周波数範囲においては漏電遮断器の感度電流周波数特性を所定の閾値以下の感度電流周波数特性とし、１ｋＨｚから２ｋＨｚまでの周波数範囲においては急峻に立ち上がる感度電流周波数特性とし、さらに前記周波数を越える周波数範囲では漏電遮断機能が不動作域」とする構成を備えるものである。
　
（４）ところが、甲第１号証、甲第２号証に記載の発明においては、このような課題も構成も備えるものではない。
　甲第１号証に記載のものでは、ローパスフィルターに相当する低域フィルターを備えているが、これは、上記３−１（１）エのとおり、インバータから発生する高周波成分を阻止し、レベル判別器以降への高周波成分の影響をなくすためのものであり、上記（３）のとおりの本件発明の課題及び構成とは異なるものである。
　そして、本件発明は、そのような構成を備えることにより、【発明の効果】の欄に記載されたように、「実用的に人体保護と、例えばインバータ負荷等への適用時における不要動作の防止との両立が図れる漏電遮断器を提供することができる。」ものである。
　
（５）したがって、本件発明が、甲第１号証及び甲第２号証に記載された発明に基づいて容易に発明をすることができたとはいえない。
　
５．むすび
　以上のとおりであるから、特許異議申立ての理由及び証拠によっては、本件発明に係る特許を取り消すことはできない。
　また、他に本件発明に係る特許を取り消すべき理由を発見しない。
　よって、結論のとおり決定する。
【異議決定日】
平成１６年９月７日（２００４．９．７）